(57)【要約】【解決課題】本発明は、接合板に設けたボルト挿通孔と鉄骨に設けたボルト挿通孔及び梁に設けたボルト挿通孔に生じるズレを気にすることなく、ボルト挿通孔を広げる工程を必要としない、鋼構造物用仮締めボルトを提供することを目的とするものである。【解決手段】本発明は、丸みを帯びた頂部及び六角形の鍔部からなる頭部に大径部の直径を小径部の直径よりも１．０ｍｍ〜１．５ｍｍ大径に形成した軸部を連設するとともに、前記軸部に先端部を設けたことを特徴とする鋼構造物用仮締めボルトの構成とした。【選択図】　図１
2004068930.tif 000002
【特許請求の範囲】
【請求項１】
半球体状の頂部及び六角形の鍔部からなる頭部に大径部の直径を小径部の直径より１．０ｍｍ〜１．５ｍｍ大径に形成した軸部を連設するとともに、前記軸部に先端部を設けたことを特徴とする鋼構造物用仮締めボルト。
【発明の詳細な説明】
【０００１】
【発明が属する技術分野】
本発明は、鉄骨づくりの建築物を建築する際に、鉄骨の組み立てのために使用する鋼構造物用仮締めボルトに関する発明である。
【０００２】
【従来の技術】
従来、建築物の鉄骨の組み立ては、図１８に示した仮締めボルトを使用し、図１９から図２５の手順により行われている。図１８に示すように、従来使用されている仮締めボルト１３は、頭部１３ａ及び軸部１３ｂから構成され、軸部１３ｂのほぼ中央から先端１３ｄにかけては外周面にネジ山１３ｃが設けられている。前記軸部１３ｂから先端１３ｄにかけての直径の大きさは同一である。
【０００３】
図１９から図２５は鉄骨の組み立ての手順を示した図である。先ず、図１９に示すように、最初に建築物の骨組みとなる鉄骨を基礎上に組み立てた時点での鉄骨２は、全体的にやや傾斜した状態で建てられている。
【０００４】
鉄柱２ａ、２ａ・・・の左右方向に梁３、３、３・・・を接合するために突設する突出部２ｂに梁３を接合するには、前記突出部２ｂ、２ｂ、２ｂ・・・に梁３、３、３・・・を接合し、その接合部４に仮締めボルト１３を用いて仮締めすることにより鉄骨が組み立てられている。
【０００５】
図２０に示すように、基礎上に組み立てられた鉄骨２は全体が傾斜している状態である。その傾斜した状態の鉄骨２の鉄柱２ａ、２ａ、２ａ・・・・をワイヤー５を用いて鉄柱２ａを引き上げることで、組み立てられた鉄骨２を地面と垂直に補正する。地面と垂直に補正された状態を示す図が図２１である。
【０００６】
図２２は仮締め状態の接合部の拡大正面図、図２３は仮締め状態の接合部の拡大平面図を示す図である。図２２及び図２３に示したように、仮締めボルト１３、１３、１３・・・による仮締めの時は、接合部４のボルト挿通孔４ｂ、７ａのうちの数カ所にのみ仮締めボルト１３が挿通されている。
【０００７】
【発明が解決しようとする課題】
しかしながら、図２２及び図２３に示したように、接合部４の上接合板４ａに設けられたボルト挿通孔４ｂと鉄柱２ａの水平部２ｃに設けられたボルト挿通孔２ｄ及び接合部４の上接合板４ａに設けられたボルト挿通孔４ｂと梁３の梁水平部３ａに設けられたボルト挿通孔３ｂには、それぞれ若干のズレ８が生じる。
【０００８】
ズレ８とは、図２３に示すように、上接合板４ａに穿設されているボルト挿通孔４ｂと下接合板４ｃに穿設されているボルト挿通孔４ｄと鉄柱２ａの水平部２ｃに穿設されているボルト挿通孔２ｄ及び梁３の梁水平部３ａに穿設されているボルト挿通孔３ｂが縦方向に同一位置になく、ボルト挿通孔４ｂとボルト挿通孔４ｄ間にあるボルト挿通孔２ｄの位置が前記ボルト挿通孔４ｂ、４ｄとは異なる位置にあることである。
【０００９】
このように、ボルト挿通孔２ｄ、４ｂ、４ｄの間でズレ８が生じることにより、そのままでは仮締めボルト１３を外して本締めボルト６、６、６・・・をボルト挿通孔２ｄ、４ｂ、４ｄに挿入することができなくなる。そのため、このズレ８を解消するための工程が必要となっている。このズレ８を解消するための工程を示した図が図２４である。
【００１０】
図２４に示したように、ズレ８を解消するためには、仮締めボルトを外し、ボルト挿通孔４ｂ、２ｄ、４ｄ又はボルト挿通孔４ｂ、３ｂ、４ｄにドリフトピン１４等をハンマー１５で叩いて打ち込み、ズレ８を解消してボルト挿通孔を広げる工程を必要とする。
【００１１】
このようにして、ボルト挿通孔２ｄ、３ｂを広げる工程を行うことで、図２５に示すように、ボルト挿通孔に本締めボルト６を挿通し、本締めボルト６により鉄骨２を本締めすることが可能となる。そのため、鉄骨２を本締めするまでには非常に手間がかかり、時間もかかっていた。
【００１２】
そこで、本発明は、上下接合板４ａ、４ｃに設けたボルト挿通孔４ｂ、４ｄと鉄柱２ａの水平部２ｃに穿設したボルト挿通孔２ｄと梁３に設けたボルト挿通孔３ｂとに生じるズレ８を気にすることなく、ボルト挿通孔２ｄ、３ｂを広げる工程を必要としないでボルト挿通孔２ｄ、４ｂ、４ｄ、３ｂ、４ｂ、４ｄにボルトを挿通することができる仮締めボルトを提供することを目的とするものである。
【００１３】
【課題を解決するための手段】
本発明である鋼構造物用仮締めボルトは、上記の課題を解決するために、丸みを帯びた頂部及び六角形の鍔部からなる頭部に大径部の直径を小径部の直径よりも１．０ｍｍ〜１．５ｍｍ大径に形成した軸部を連設するとともに、前記軸部に先端部を設けたことを特徴とする鋼構造物用仮締めボルトの構成とした。
【００１４】
【実施例】
以下に、添付図面に基づき、本発明である鋼構造物用仮締めボルトについて詳細に説明する。図１は本発明である鋼構造物用仮締めボルトの正面図、図２は本発明である鋼構造物用仮締めボルトの左側面図、図３は本発明である鋼構造物用仮締めボルトの右側面図である。
【００１５】
図１、図２及び図３に示すように、本発明である鋼構造物用仮締めボルト１は、頭部１ａと軸部１ｂとからなる。頭部１ａは、丸みを帯びた形状に形成されている頂部１ｃと軸部１ｂの中心軸から外方に水平方向に突出する鍔部１ｅからなる。
【００１６】
軸部１ｂは、外周面が平坦に形成されている大径部１ｆと外周面にネジ山が形成されている小径部１ｈと外周面が平坦に形成されている先端部１ｊとからなる。頂部１ｃを略半球体状にしたのは、頂部１ｃを叩いた場合でも、鍔部１ｅが変形しないようにするためである。
【００１７】
図１、図２及び図３に示すように、頭部１ａを構成する頂部１ｃと鍔部１ｅとの間には傾斜部１ｄがある。前記鍔部１ｅの形状は、六角形である。大径部１ｆには小径部１ｈが連設されている。
【００１８】
小径部１ｈの外周面には、ネジ山が形成されていて、小径部１ｈには小径部１ｈより更に小径の先端部１ｊが連設されている。大径部１ｆと小径部１ｈ間には、小径部１ｈ方向に傾斜する傾斜部１ｇが形成されている、小径部１ｈと先端部１ｊ間には先端部１ｊ方向に傾斜する傾斜部１ｉが形成されている。先端部１ｊには、先端１ｌ方向に傾斜する傾斜部１ｋが形成されている。
【００１９】
小径部１ｈに先端部１ｊを連設させたのは、本鋼構造物用仮締めボルト１を上下接合板４ａ、４ｃ、水平部２ｃ及び梁水平部３ａに穿設されているボルト挿通孔に挿通させた後に、先端部を叩く場合に小径部１ｈに形成されているネジ山が破損しないようにするためである。勿論、先端部１ｊを設けなくても良い。
【００２０】
図１に示すように、外周面にネジ山が形成されている小径部１ｈの直径ｂは、大径部ｆの直径ａよりも１．０ｍｍ〜１．５ｍｍ小さい直径に形成されている。例えば、大径部１ｆの直径が２１．５ｍｍであれば、小径部１ｈの直径は２０ｍｍに形成する。また、大径部１ｆの長さは２０ｍｍ〜８０ｍｍ、小径部の長さは３０ｍｍ〜４０ｍｍ程度が好ましい。
【００２１】
図４は、鉄骨と梁を組み立て、仮締めボルトにより仮締めをした状態を示す図である。図４に示すように、本発明である鋼構造物用仮締めボルト１により仮締め状態の鉄骨２全体は、やや傾斜した状態で鉄柱２ａに形成されている突出部２ｂと梁３とが接合部４において仮締めされ接合されている。
【００２２】
図５は、傾斜した状態の鉄骨をワイヤーを用いて引っ張り、傾斜している鉄骨を補正している状態を示す図である。傾斜した状態の鉄骨２は、各鉄柱２ａ、２ａ、２ａ・・にワイヤー５を巻き付け、ワイヤー５を矢印方向に引っ張ることで鉄柱２ａを起こし、鉄柱２ａが地面と垂直になるよう補正する。
【００２３】
図６は、ワイヤーを用いて地面と垂直に補正された鉄骨を示す図である。鉄骨２は、鉄柱２ａの突出部２ｂと鉄柱２ａの突出部２ｂ間に梁３が接合されている。鉄骨を補正するために用いたワイヤー５は、鉄骨の組み立てが終わり本締めが完了するまで外さずにおく。
【００２４】
図７は本発明である鋼構造物用仮締めボルトにより仮締めされている状態の鉄骨の接合部の拡大平面図、図８は本発明である鋼構造物用仮締めボルトにより仮締めされている状態の鉄骨の接合部の拡大平面図である。
【００２５】
図７に示すように、本発明である鋼構造物用仮締めボルト１に仮締めされている時は、接合部４のボルト挿通孔４ｂ、接合板７のボルト挿通孔７ａ等、各ボルト挿通孔４ｂ、４ｂ・・、７ａ、７ａ・・全てに鋼構造物用仮締めボルト１が仮締めされているのではなく、数カ所のみに鋼構造物用仮締めボルト１が挿入され、仮締めされている。
【００２６】
図８に示すように、本発明である鋼構造物用仮締めボルト１、１、１・・・による仮締め状態では、接合部４の上接合板４ａに設けられたボルト挿通孔４ｂ及び接合部４の下接合板４ｃに設けられたボルト挿通孔４ｄと鉄柱２ａから突出した突出部２ｂの水平部２ｃに設けられたボルト挿通孔２ｄ、ボルト挿通孔４ｂ、４ｄと梁３の梁水平部３ａに設けられたボルト挿通孔３ｂには、ズレが生じることなく、ボルト挿通孔４ｂ、４ｄ、２ｄ、３ｂは縦方向に同一位置にある。
【００２７】
図９は、本発明である鋼構造物用仮締めボルトで仮締めをした接合部の一部拡大断面図である。本発明である鋼構造物用仮締めボルト１は、仮締めボルト１、１、１・・・の軸部１ｂの大径部１ｆの直径ａとネジ山が形成されている小径部１ｈの直径ｂに、１．０ｍｍ〜１．５ｍｍの差が設けられている。
【００２８】
そのために、ボルト挿通孔２ｄ、４ｂ、４ｄに発生するズレ８を気にすることなく、そのまま接合部４の上下接合板４ａ、４ｃに設けられたボルト挿通孔４ｂ、４ｄ及び鉄柱２ａの突出部２の水平部２ｃに設けられているボルト挿通孔２ｄ又は梁３の水平部３ａに設けられたボルト挿通孔３ｂに本発明である鋼構造物用仮締めボルト１を挿通することができる。
【００２９】
ボルト挿通孔４ｂ、２ｄ、４ｄの直径は、従来の仮締めボルトの直径よりも約１．５ｍｍ〜２．０ｍｍ程度大きく穿設されている。何故ならば、ボルト挿通孔４ｂ、２ｄ、４ｄにズレ８が生じても仮締めボルトが挿通できるようにするためである。
【００３０】
例えば、上下接合板４ａ、４ｃに設けられたボルト挿通孔４ｂ、４ｄ及び鉄柱２ａの突出部２の水平部２ｃに設けられているボルト挿通孔２ｄ又は梁３の梁水平部３ａに設けられたボルト挿通孔３ｂの径が２２ｍｍであれば、本発明である鋼構造物用仮締めボルト１の軸部１ｂの大径部１ｆの直径ａは２１．５ｍｍに形成し、ネジ山が形成されている小径部１ｈの直径ｂは２０ｍｍとすることがよい。
【００３１】
また、本発明である仮締めボルト１では、軸部１ｂの大径部１ｆの長さは２０ｍｍ〜８０ｍｍまでの長さとしてもよく、軸部１ｂの小径部１ｈの長さは３０ｍｍ〜４０ｍｍの長さとしてもよい。
【００３２】
さらに、本発明である鋼構造物用仮締めボルト１では、小径部１ｈが大径部１ｆよりも１．５ｍｍほど小径に形成されているので、ボルト挿通孔４ｂ、２ｄ、４ｄに大きなズレ８が生じたとしてもネジ山が破損されることなく仮締めボルトを挿通することができ、仮締めすることができる。
【００３３】
このようにして、ボルト挿通孔２ｄ、３ｂ、４ｂ、４ｄに、本発明である鋼構造物用仮締めボルトを挿通することで、ボルト挿通孔に生じたズレ８が解消する。即ち、本発明である鋼構造物用仮締めボルトを１をボルト挿通孔に挿入し打ち込むことで、図１７に示した従来のドリフトピン等とハンマーを用いて行っていたズレ８を解消する工程と同じ効果をもたらすことになり、上下接合板４ａ、４ｃに穿設したボルト挿通孔４ｂ、４ｄ間の水平部２ｃに穿設したボルト挿通孔２ｄ及び梁水平板３ａに穿設したボルト挿通孔３ｂが縦方向に同一位置になり、ズレ８が解消されるのである。
【００３４】
図１０は、本締めボルトで本締めをした状態の接合部の拡大図である。本発明である鋼構造物用仮締めボルトで仮締めしたことにより、ズレ８が解消されたボルト挿通孔２ｄ、３ｂ、４ｂ、４ｄには、スムーズに本締めボルト６を挿入することができる。
【００３５】
本締めボルト６をボルト挿通孔に挿入し、ナット９を螺合させて本締めすることで、鉄柱２ａと梁３とを接合させることにより鉄骨２の組み立てが完了する。また、同様にして橋梁の鉄桁組み立てにも使用することができる。
【００３６】
図１１は本発明である鋼構造物用仮締めボルトの第２実施例の正面図である。本例の鋼構造物用仮締めボルト１０は、頭部１０ａと軸部１０ｂとからなり、全体の形状としては図１から図３に示した第１実施例の鋼構造物用仮締めボルト１と同じである。本例の鋼構造物用仮締めボルト１０が第１実施例の鋼構造物用仮締めボルト１と異なる部分は、軸部１０ｂの大径部１０ｆと小径部１０ｈ間に形成された傾斜部１０ｇの部分である。
【００３７】
傾斜部１０ｇは、大径部１０ｆと小径部１０ｈ間に、小径部１０ｈ方向に傾斜して形成されている。鋼構造物用仮締めボルト１０に形成された前記傾斜部１０ｇは、第１実施例の鋼構造物用仮締めボルト１に形成された傾斜部１ｇと比較するとかなり長く設けられている。
【００３８】
前記傾斜部１０ｇが長く設けられているのは、鋼構造物用仮締めボルト１０をボルト挿通孔に挿入した時に、ボルトが破損したり、接合板及び鉄柱や梁に設けられたボルト挿通孔を破損したりするのを防ぐためである。
【００３９】
図１２は本発明である鋼構造物用仮締めボルトの第２実施例の鋼構造物用仮締めボルトをナットと組み合わせた状態の正面図、図１３は鋼構造物用仮締めボルトをナットと組み合わせた状態の一部断面図である。図１２及び図１３に示すように、本発明である鋼構造物用仮締めボルト１０は、ナット１２と組み合わせて使用することで、鋼構造物用仮締めボルト１１として、より効果的に使用することができる。
【００４０】
図１４は本発明である鋼構造物用仮締めボルトと組み合わせて使用するナットの正面図、図１５は前記ナットの左側面図、図１６は前記ナットの右側面図、図１７は前記ナットの断面図をそれぞれ示す図である。
【００４１】
図１４、図１５、図１６及び図１７に示すように、本発明である鋼構造物用仮締めボルトと組み合わせて使用するナット１２は、外周面１２ａが六角形の形状をし、内部にボルト挿通孔１２ｄを設けたたナットである。
【００４２】
ナット１２の中央には左側面１２ｂから右側面１２ｃにかけてボルトを挿通するためのボルト挿通孔１２ｄが円形に設けられている。ボルト挿通孔１２ｄは左側面１２ｂ側に大径部１２ｅが形成され、右側面１２ｃ側に小径部１２ｇが形成されている。大径部１２ｅと小径部１２ｇの間には段差１２ｆが形成されている。
【００４３】
大径部１２ｅの壁面は平坦であるが、小径部１２ｇの壁面にはネジ山１２ｈが設けられている。ボルト挿通孔１２ｄに鋼構造物用仮締めボルト１０を挿入し、前記ネジ山１２ｈと、鋼構造物用仮締めボルト１０に設けられたネジ山１ｈにより、鋼構造物用仮締めボルト１０とナット１２がしっかりと締め付けられる。
【００４４】
このように、鋼構造物用仮締めボルト１０とナット１２をしっかりと締め付けることができる鋼構造物用仮締めボルト１１を鉄骨の組み立てに用いて鉄骨の仮締めをすることで、より効果的に仮締めをすることが可能となり。即ち、接合部に設けられたボルト挿通孔と鉄柱又は梁に設けられたボルト挿通孔にズレを生じることなく仮締めすることが可能となる。
【００４５】
【発明の効果】
本発明は、以上に説明したような構成であるから、以下の効果が得られる。第１に、本発明である鋼構造物用仮締めボルトで仮締めすることにより、本締め前にズレがほとんど生じず、そのまま本締めボルトを挿通し、本締めすることができる。
【００４６】
第２に、本発明である鋼構造物用仮締めボルトを使用することにより、ボルト挿通孔を広げる工程が必要ないことと建設精度も増し、鉄骨の組み立てにかかる時間を大幅に短縮することができ、作業効率が格段に良くなり短時間で鉄骨を組み立てることができる。
【図面の簡単な説明】
【図１】本発明である鋼構造物用仮締めボルトの正面図である。
【図２】本発明である鋼構造物用仮締めボルトの左側面図である。
【図３】本発明である鋼構造物用仮締めボルトの右側面である。
【図４】本発明である鋼構造物用仮締めボルトで仮締めした傾斜した状態の鉄骨を示す図である。
【図５】本発明である鋼構造物用仮締めボルトで仮締めした傾斜した状態の鉄骨をワイヤーを用いて補正している状態を示す図である。
【図６】地面と垂直に補正した仮締め状態の鉄骨を示す図である。
【図７】本発明である鋼構造物用仮締めボルトで仮締めした接合部の拡大正面図である。
【図８】本発明である鋼構造物用仮締めボルトで仮締めした接合部の拡大平面図である。
【図９】本発明である鋼構造物用仮締めボルトで仮締めした接合部の一部拡大断面図である。
【図１０】本締めボルトで本締めした接合部の拡大正面図である。
【図１１】本発明である鋼構造物用仮締めボルトの第２実施例の正面図である。
【図１２】本発明である鋼構造物用仮締めボルトをナットと組み合わせた状態の正面図である。
【図１３】本発明である鋼構造物用仮締めボルトをナットと組み合わせた状態の一部断面図である。
【図１４】本発明である鋼構造物用仮締めボルトと組み合わせて使用するナットの正面図である。
【図１５】本発明である鋼構造物用仮締めボルトと組み合わせて使用するナットの左側面図である。
【図１６】本発明である鋼構造物用仮締めボルトと組み合わせて使用するナットの右側面図である。
【図１７】本発明である鋼構造物用仮締めボルトと組み合わせて使用するナットの断面図である。
【図１８】従来の仮締めボルトの正面図である。
【図１９】従来の仮締めボルトで仮締めした傾斜した状態の鉄骨を示す図である。
【図２０】従来の仮締めボルトで仮締めした傾斜した状態の鉄骨をワイヤーを用いて補正している状態を示す図である。
【図２１】地面と垂直に補正した従来の仮締めボルトで仮締めした鉄骨を示す図である。
【図２２】従来の仮締めボルトで仮締めした接合部の拡大正面図である。
【図２３】従来の仮締めボルトで仮締めした接合部の拡大平面図である。
【図２４】従来のボルト挿通孔を広げる工程を示す図である。
【図２５】本締めボルトにより本締めした接合部の拡大正面図である。
【符号の説明】
１　　　　　鋼構造物用仮締めボルト
１ａ　　　　頭部
１ｂ　　　　軸部
１ｃ　　　　頂部
１ｄ　　　　傾斜部
１ｅ　　　　鍔部
１ｆ　　　　大径部
１ｇ　　　　傾斜部
１ｈ　　　　小径部
１ｉ　　　　傾斜部
１ｊ　　　　先端部
１ｋ　　　　傾斜部
１ｌ　　　　先端
２　　　　　鉄骨
２ａ　　　　鉄柱
２ｂ　　　　突出部
２ｃ　　　　水平部
２ｄ　　　　ボルト挿通孔
３　　　　　梁
３ａ　　　　梁水平部
３ｂ　　　　ボルト挿通孔
４　　　　　接合部
４ａ　　　　上接合板
４ｂ　　　　ボルト挿通孔
４ｃ　　　　下接合板
４ｄ　　　　ボルト挿通孔
５　　　　　ワイヤー
６　　　　　本締めボルト
７　　　　　接合板
７ａ　　　　ボルト挿通孔
８　　　　　ズレ
９　　　　　ナット
９ａ　　　　座金
１０　　　　　鋼構造物用仮締めボルト
１０ａ　　　　頭部
１０ｂ　　　　軸部
１０ｃ　　　　頂部
１０ｄ　　　　傾斜部
１０ｅ　　　　鍔部
１０ｆ　　　　大径部
１０ｇ　　　　傾斜部
１０ｈ　　　　小径部
１０ｉ　　　　傾斜部
１０ｊ　　　　先端部
１０ｋ　　　　傾斜部
１０ｌ　　　　先端
１１　　　　　鋼構造物用仮締めボルト
１２　　　　　ナット
１２ａ　　　　外周面
１２ｂ　　　　左側面
１２ｃ　　　　右側面
１２ｄ　　　　ボルト挿通孔
１２ｅ　　　　大径部
１２ｆ　　　　段差
１２ｇ　　　　小径部
１２ｈ　　　　ネジ山
１３　　　　　仮締めボルト
１３ａ　　　　頭部
１３ｂ　　　　軸部
１３ｃ　　　　ネジ山
１３ｄ　　　　先端
１４　　　　　ドリフトピン
１５　　　　　ハンマー
【図１】
2004068930.tif 000003
【図２】
2004068930.tif 000004
【図３】
2004068930.tif 000005
【図４】
2004068930.tif 000006
【図５】
2004068930.tif 000007
【図６】
2004068930.tif 000008
【図７】
2004068930.tif 000009
【図８】
2004068930.tif 000010
【図９】
2004068930.tif 000011
【図１０】
2004068930.tif 000012
【図１１】
2004068930.tif 000013
【図１２】
2004068930.tif 000014
【図１３】
2004068930.tif 000015
【図１４】
2004068930.tif 000016
【図１５】
2004068930.tif 000017
【図１６】
2004068930.tif 000018
【図１７】
2004068930.tif 000019
【図１８】
2004068930.tif 000020
【図１９】
2004068930.tif 000021
【図２０】
2004068930.tif 000022
【図２１】
2004068930.tif 000023
【図２２】
2004068930.tif 000024
【図２３】
2004068930.tif 000025
【図２４】
2004068930.tif 000026
【図２５】
2004068930.tif 000027